(57)【要約】【課題】  ガセット袋のガセット部での破袋、ピンホール発生を防止する。【解決手段】  樹脂フィルム製の前後シート部１，２が重ね合わされ、前後シート部間にそれらの一辺３ａに沿うように樹脂フィルム製のガセットシート部４が二つ折りで挿入され、一辺及び両側辺３ｂ，３ｃにおける前シート部とガセットシート部との間、後シート部とガセットシート部との間及び前シート部と後シート部との間が夫々ヒートシール部で接着される。両側辺のヒートシール部７，８，９，１０のシール縁１８，１９がガセットシート部の折れ線４ａと交差しようとする交差点２３を迂回して伸びることにより、交差点の回りに非シール部２４，２５が形成される。内容物充填済みガセット袋が落下し、内容物によるウォーターハンマーが作用しても、交差箇所に集中しようとするストレスが分散され、破袋等が防止される。【選択図】  図４
2006264765.tif 000002
【特許請求の範囲】
【請求項１】
樹脂フィルム製の略長方形の前後シート部が重なり合い、前後シート部間にそれらの一辺に沿うように樹脂フィルム製のガセットシート部が二つ折り状態で挿入され、少なくとも上記一辺及びこの一辺を挟む両側辺における前シート部とガセットシート部との間、後シート部とガセットシート部との間及び前シート部と後シート部との間が夫々帯状のヒートシール部で接着され、上記両側辺のヒートシール部のシール縁がガセットシート部の折れ線と交差しようとする交差点を迂回して伸びることにより、交差点の回りに非シール部が形成されたことを特徴とするガセット袋。
【請求項２】
請求項１に記載のガセット袋において、上記シール縁が交差点を円弧状に迂回することにより、交差点の回りに略半円形の非シール部が設けられたことを特徴とするガセット袋。
【発明の詳細な説明】
【技術分野】
【０００１】
本発明は、流動食等の液体を充填するガセット袋に関する。
【背景技術】
【０００２】
従来、流動食等の液体を充填するガセット袋は、図５（Ａ）に示すように、樹脂フィルム製の多角形の前後シート２７，２８が重ね合わされ、前後シート２７，２８間にそれらの上辺に沿うように二つ折りの樹脂フィルム製のガセットシート２９が挿入された上で、前後シート２７，２８の上辺及びこの上辺を左右から挟む辺における前シート２７と後シート２８との間、前シート２７とガセットシート２９との間及び後シート２８とガセットシート２９との間が夫々ヒートシール部３０,３１,３２,３３，３４，３５，３６，３７，３８で接合されることにより形成される。またヒートシール部３２のヒートシール時に注出口部３９が前後シート２７，２８間に固着される（特許文献１参照。）。なお、図５（Ａ）において、符号３０，３３，３５は前ガセット部のヒートシール部を示し、符号（３１），（３４），（３６）は前ガセット部に背後から重なった後ガセット部のヒートシール部を示す。
【０００３】
このガセット袋は流動食等の液体が充填された後密封され、レトルト殺菌処理される。液体を取り出す際は、袋の吊り下げ孔５５にスタンドのフック等を掛けて吊り下げ、前ガセット部を二点鎖線で示す切取線４０上で切り裂き、例えば水を袋内に入れて液体を希釈した後、前ガセット部を折り曲げる等して再封し、注出口部３９から液体を袋外に注出する。
【０００４】
また、他のガセット袋は、図５（Ｂ）に示すように、樹脂フィルム製の前後シート４１，４２が重ね合わされ、前後シート４１，４２間にそれらの左右辺に沿うように二つ折りの樹脂フィルム製のガセットシート４３，４４がそれぞれ挿入された上で、前後シート４１，４２の上辺及びこの上辺を左右から挟む辺における前シート４１と後シート４２との間、前シート４１とガセットシート４３，４４との間及び後シート４２とガセットシート４３，４４との間が夫々ヒートシール部４５,４６,４７,４８，４９，５０で接合されることにより形成される。また、ヒートシール部４６のヒートシール時に注出口部３９が前後シート４１，４２間に固着される（特許文献２参照。）。なお、図５（Ｂ）において、符号４７，４９は前ガセット部のヒートシール部を示し、符号（４８），（５０）は前ガセット部に背後から重なった後ガセット部のヒートシール部を示す。
【０００５】
このガセット袋は流動食等の液体が充填された後密封され、レトルト殺菌処理される。液体を取り出す際は、袋の吊り下げ孔５５にスタンドのフック等を掛けて吊り下げ、前後のガセット部を二点鎖線で示す切取線５１上で切断し、水等を袋内に入れて液体を希釈した後、注出口部３９から液体を袋外に注出する。
【０００６】
【特許文献１】特開２００１−２１３４５１号公報
【特許文献２】特開２００１−１９９４５７号公報
【発明の開示】
【発明が解決しようとする課題】
【０００７】
図５（Ａ）に示すガセット袋は、左右辺のヒートシール部３７，３８がガセットシート２９の折れ線２９ａと直角に交差する。このため、内容物が充填されたガセット袋に外部から力が加わった場合やガセット袋が落下した場合に、内容物によるウォーターハンマーが作用すると、ヒートシール部３７，３８と折れ線２９ａとの交差点５２にストレスが集中し、破袋、ピンホールが発生する原因となりやすい。そこで、折れ線２９ａに対し約４５度傾斜したいわゆる船形シールであるヒートシール部５３を前後のガセット部に形成している。しかし、このガセット袋は前後のガセット部間が開くので上記交差点５２にストレスが集中しやすいという問題がある。また、前ガセット部を切取線４０上で切り裂いて、水等を袋内に入れる場合、開口が狭いので、水等を袋内に入れ難いという問題がある。
【０００８】
図５（Ｂ）に示すガセット袋は、図５（Ａ）に示すガセット袋と異なり、袋の左右に存在する前後ガセット部同士が開かないように四隅のシール部５４で接合されているので、ヒートシール部４５，４６と折れ線４３ａ，４４ａとの交差点５２にストレスが比較的集中し難くなっている。しかし、このガセット袋は左右に前後ガセット部を備えるので開封操作が面倒であり、また、前後ガセット部の双方を斜めに切断して開封しなければならないので、液体がこぼれやすく、再封操作も面倒である。
【０００９】
従って、本発明は上記問題点を解決することができるガセット袋を提供することを目的とする。
【課題を解決するための手段】
【００１０】
上記課題を解決するため、請求項１に係る発明は、樹脂フィルム製の略長方形の前後シート部（１，２）が重なり合い、前後シート部（１，２）間にそれらの一辺（３ａ）に沿うように樹脂フィルム製のガセットシート部（４）が二つ折り状態で挿入され、少なくとも上記一辺（３ａ）及びこの一辺（３ａ）を挟む両側辺（３ｂ，３ｃ）における前シート部（１）とガセットシート部（４）との間、後シート部（２）とガセットシート部（４）との間及び前シート部（１）と後シート部（２）との間が夫々帯状のヒートシール部（５,６，７，８，９，１０，１１，１２）で接着され、上記両側辺のヒートシール部（７，８，９，１０）のシール縁（１８，１９）がガセットシート部（４）の折れ線（４ａ）と交差しようとする交差点（２３）を迂回して伸びることにより、交差点（２３）の回りに非シール部（２４，２５）が形成されたガセット袋を採用する。
【００１１】
また、請求項２に係る発明は、請求項１に記載のガセット袋において、上記シール縁（１８，１９）が交差点（２３）を円弧状に迂回することにより、交差点（２３）の回りに略半円形の非シール部（２４，２５）が設けられたガセット袋を採用する。
【発明の効果】
【００１２】
本発明によれば、樹脂フィルム製の略長方形の前後シート部（１，２）が重なり合い、前後シート部（１，２）間にそれらの一辺（３ａ）に沿うように樹脂フィルム製のガセットシート部（４）が二つ折り状態で挿入され、少なくとも上記一辺（３ａ）及びこの一辺（３ａ）を挟む両側辺（３ｂ，３ｃ）における前シート部（１）とガセットシート部（４）との間、後シート部（２）とガセットシート部（４）との間及び前シート部（１）と後シート部（２）との間が夫々帯状のヒートシール部（５,６，７，８，９，１０，１１，１２）で接着されていることから、前後のガセット部間は分離状態にあり、しかもガセット袋の幅と同程度の幅の隙間が前後のガセット部についても確保される。従って、前後のガセット部のいずれかでガセット袋を開封した際大きな開口を形成することができ、水等を袋内に簡易に注入することができる。
【００１３】
また、シール縁（１８，１９）がガセットシート部（４）の折れ線（２３）と交差しようとする交差点（２３）でシール縁（１８，１９）がこの交差点（２３）を迂回することにより、交差点（２３）の回りに非シール部（２４，２５）が設けられたことから、内容物が充填されたガセット袋に外部から力が加わった場合やガセット袋が落下した場合に、内容物によるウォーターハンマーが作用しても、上記シール縁（１８，１９）と折れ線（４ａ）との交差箇所に集中しようとするストレスを分散することができ、従って破袋、ピンホールの発生を回避し、内容物の漏れ出しを防止することができる。
【発明を実施するための最良の形態】
【００１４】
以下、図面を参照して本発明を実施するための最良の形態について説明する。
【００１５】
図１、図２及び図３に示すように、このガセット袋は、樹脂フィルム製の略長方形の前後シート部１，２が重なり合い、前後シート部１，２間にそれらの一辺３ａに沿うように樹脂フィルム製のガセットシート部４が二つ折り状態で挿入され、少なくとも上記一辺３ａ及びこの一辺３ａを挟む両側辺３ｂ，３ｃにおける前シート部１とガセットシート部４との間、後シート部２とガセットシート部４との間及び前シート部１と後シート部２との間が夫々ヒートシール部５，６，７，８，９，１０，１１，１２で接着された構成を備える。
【００１６】
樹脂フィルムは、例えば積層フィルムであり、図示しないが外側に非ヒートシール材層が配置され、内側にヒートシール材層が配置され、中間にガスバリア材層が配置される。樹脂フィルムは望ましくは透明に形成される。
【００１７】
前後シート部１，２は上記樹脂フィルムを打ち抜いたり断裁したりすることにより例えば同形同大の略長方形に形成される。前後シート部１，２はヒートシール材層を内側にして重ね合わされる。ガセットシート部４は上記樹脂フィルムを打ち抜いたり断裁したりすることにより略長方形に形成される。ガセットシート部４は非ヒートシール材層を内側にして二つ折りされ、折れ線４ａを先にして前後シート部１，２間にそれらの一辺に沿うように挿入される。このガセットシート部４の挿入により、前シート部１とガセットシート部４とが重なった箇所が前ガセット部１３とされ、後シート部２とガセットシート部４とが重なった箇所が後ガセット部１４とされる。
【００１８】
ヒートシール部５，６，７，８，９，１０，１１，１２は、ガセットシート部４を挟み込んだ状態の前後シート部１，２を図示しない加熱盤で熱プレスすることにより形成される。
【００１９】
ヒートシール部５，６，７，８，９，１０は、ガセット袋の上辺である一辺３ａと、ガセット袋の左右辺である両側辺３ｂ，３ｃの前後ガセット部１３，１４に対応する箇所とに形成される。このヒートシール部５，６，７，８，９，１０によって、ガセット袋の前後ガセット部１３，１４が閉じられる。ヒートシール部１１，１２は、ガセット袋の左右辺である両側辺３ｂ，３ｃの前後ガセット部１３，１４以外の箇所に形成される。このヒートシール部１１，１２によって、ガセット袋の左右が閉じられる。
【００２０】
図２に示すように、左右のヒートシール部７，８，９，１０，１１，１２は、夫々ガセット部と非ガセット部とに分かれているが、非ガセット部では二枚の樹脂フィルムが重なっているのに対し、ガセット部では四枚の樹脂フィルムが重なっており、非ガセット部とガセット部との境界に段差が生じているので、別個の加熱盤によってより幅広くかつ大きい加圧力によってヒートシールがなされている。
【００２１】
上述した三方がヒートシール部５，６，７，８，９，１０，１１，１２で閉じられ下辺が未シールの開放された状態のガセット袋に、この下辺の開口から内容物である液体を充填し、その後下辺をヒートシール部で閉じることも可能であるが、この実施の形態では、図１及び図２に示すように、下辺に注出口部１５がヒートシール部１６で前後シート部１，２に接着される。注出口部１５は、公知の構造であるから詳しい説明は省略する。
【００２２】
上辺のヒートシール部５，６には前後のガセット部１３，１４を貫通する吊り下げ孔１７が穿設される。ガセット袋はこの吊り下げ孔１７に図示しないフックが通されることにより、所望の場所に吊り下げられ、中味の液体が注出される。
【００２３】
図１乃至図３に示すように、このガセット袋には易開封手段が設けられる。すなわち、前シート部１はガセットシート部４と共にその延伸方向が上辺である一辺３ａに沿って伸びるように形成され、ヒートシール部５の内縁からヒートシール部と反対側に離れた箇所で上記一辺３ａに沿って伸びる二点鎖線で示された直線２０が上記両側辺１１，１２と交差する箇所には切欠２１ａ，２１ｂが形成される。これら切欠２１ａ，２１ｂによって引き裂き線が設定される。切欠２１ａ，２１ｂは、前ガセット部１３のガセットシート部４及び前シート部１を厚さ方向に貫通するように細溝状に形成されるが、Ｖ溝状、半円状等所望の形状とすることが可能である。
【００２４】
前シート部１とガセットシート部４には上記積層フィルムが用いられるが、この積層フィルムの例えば外側の非ヒートシール材層が延伸フィルムで形成される。この延伸フィルムの延伸方向がガセット袋の上記両側辺１１，１２間すなわち左右方向に伸びるように、前シート部１とガセットシート部４が積層フィルムからそれぞれ切り出される。
【００２５】
図１及び図３（Ａ）に示すように、上記直線２０の端に形成される切欠２１ａの周辺部が非ヒートシール域２２とされる。非ヒートシール域２２の延伸性を維持することにより、切欠２１ａが形成されない場合や、切欠が短い場合にも引き裂きジッパー部２１を引き裂きやすくすることができる。
【００２６】
上記二点鎖線で示す直線２０は、前シート部１及びガセットシート部４の各々を構成する樹脂フィルムの延伸方向と平行であることから、この直線２０上で前シート部１及びガセットシート部４の樹脂フィルムを容易に引き裂くことができる。この直線２０はヒートシール部５の内縁からヒートシール部５と反対側に離れた箇所を通るので、この直線２０に沿ってヒートシール部５を引き裂くと、ガセット袋が開封される。
【００２７】
図１、図３（Ａ）及び図４（Ａ）に示すように、ガセット袋における両側辺のヒートシール部７，８，９，１０のシール縁１８，１９は、ガセットシート部４の折れ線４ａと交差する交差点２３（図４（Ｂ）参照）を円弧状に迂回し、これにより、交差点２３の回りに略半円形の非シール部２４，２５が形成される。このため、内容物である液体が充填されたガセット袋に外部から力が加わったり、ガセット袋が落下したりして、内容物によるウォーターハンマーが前後ガセット部１３，１４に作用しても、シール縁１８，１９と折れ線２３との交差箇所に集中しようとするストレスが分散され、従ってガセット袋のガセット部における破袋、ピンホールの発生が防止される。
【００２８】
なお、図４（Ｂ）に示すように、両側辺のヒートシール部７，８，９、１０のシール縁１８，１９がガセットシート部４の折れ線４ａと略直角に交差し、交差点２３の回りに非シール部２４，２５が存在しない場合は、内容物が充填されたガセット袋に外部から力が加わったときやガセット袋が落下したときに、内容物によるウォーターハンマーが作用すると、上記シール縁１８，１９と折れ線４ａとの交差点２３にストレスが集中し、破袋、ピンホールが発生する原因となりやすい。
【００２９】
次に、上記構成のガセット袋の作用の一例について説明する。
（１）液体が充填され密封されたガセット袋を図示しないレトルト殺菌装置内に入れて液体をガセット袋ごと加熱殺菌処理する。
（２）内容物が入ったガセット袋は、多数のものが積み重ねられ病院等の医療機関に運搬され、治療等に供される。ガセット袋の前後ガセット部１３，１４には運搬中に積み重ねによる加重、振動等が加わり、また、ガセット袋が床上に落下するとウォーターハンマーが前後ガセット部１３，１４に作用するが、ガセット袋における両側辺のヒートシール部７，８，９，１０のシール縁１８，１９がガセットシート部４の折れ線４ａと交差する交差点２３には、略半円形の非シール部２４，２５が形成されているので、シール縁１８，１９と折れ線４ａとの交差点２３に集中しようとするストレスが分散される。従って、ガセット袋の前後ガセット部１３，１４における破袋、ピンホールの発生が防止される。
（３）ガセット袋の液体を使用するに際し、ガセット袋を後ガセット部のところで図示しないスタンドのフックに吊り下げる。
（４）前ガセット部１３のヒートシール部５の一端に指を掛けて他端側へ引っ張り、ヒートシール部５を直線２０上で破断させ、密封状態にあるガセット袋を開封する。
（５）前ガセット部１３に形成された開口から希釈液等をガセット袋内に注入し、内容物である液体を希釈する。
（６）前ガセット部１３を折り曲げる等所望の方法により再度密封する。
（７）注出口部１５を開き、注出口部１５に接続した図示しないチューブを介してガセット袋から希釈された液体を注出し患者等に供給する。
【００３０】
なお、本発明は上記実施の形態に限定されるものではなく、例えば上記実施の形態ではガセットシート部が前後シート部と別体として形成された後、二つ折りされて前後シート部間に挿入されているが、樹脂フィルムを一方向に送りながらその中心部をＷ形に折り込んでガセットシート部を形成し、その両側の前後シート部でガセットシート部をサンドイッチ状に挟み込むことによっても本発明のガセット袋を形成することができる。
【図面の簡単な説明】
【００３１】
【図１】本発明に係るガセット袋の一実施形態を示す正面図である。
【図２】図１に示すガセット袋の左側面図である。
【図３】図（Ａ）は図１及び図２に示すガセット袋の要部の拡大図、図（Ｂ）は左側面図である。
【図４】図（Ａ）は図１及び図２に示すガセット袋の作用を説明する斜視図、図（Ｂ）は交差点の回りに非シール部を備えないガセット袋の作用を説明する参考斜視図である。
【図５】図（Ａ）、図（Ｂ）はそれぞれ従来のガセット袋を示す正面図である。
【符号の説明】
【００３２】
１…前シート部
２…後シート部
３ａ…一辺
３ｂ，３ｃ…両側辺
４…ガセットシート部
４ａ…折れ線
５,６，７，８，９，１０，１１，１２…ヒートシール部
１３…前ガセット部
１４…後ガセット部
１８，１９…シール縁
２０…直線
２１ａ，２１ｂ…切欠
２３…交差点
２４，２５…非シール部
【図１】
2006264765.tif 000003
【図２】
2006264765.tif 000004
【図３】
2006264765.tif 000005
【図４】
2006264765.tif 000006
【図５】
2006264765.tif 000007